(57)【要約】【課題】自然光の下でその真贋を判定できる判定手段に加えて、自然光のもとでは真贋を判定することができず、特定の操作を加えることによって真贋判定が可能となる判定手段を設けた偽造防止用紙を提供すること。【解決手段】光輝性領域を構成する細片１１と圧力発光領域を構成する細片１２の両者を紙基材１１に漉き込んで偽造防止用紙とする。自然光のもとでは光輝性の有無によって真贋を判定できる。また、この偽造防止用紙を暗所に置いて上から圧力を掛けると圧力発光領域が発光するから、この発光の有無によって真贋を判定することができる。【選択図】図１
2015200037.tif 000002
【特許請求の範囲】
【請求項１】
紙を基材として、可視光の照射によって光輝性を有する光輝性領域と、圧力によって発光する圧力発光領域とを有することを特徴とする偽造防止用紙。
【請求項２】
前記圧力発光領域が、圧力によって発光する材料を含む細片が紙基材に漉き込まれた領域であることを特徴とする請求項１に記載の偽造防止用紙。
【請求項３】
圧力によって発光する材料を含む前記細片の大きさが２〜５ｍｍであることを特徴とする請求項２に記載の偽造防止用紙。
【請求項４】
圧力によって発光する材料を含む前記細片の厚みが偽造防止用紙の厚みの１／３であることを特徴とする請求項２又は３に記載の偽造防止用紙。
【請求項５】
前記光輝性領域が、光輝性材料を含む細片が紙基材に漉き込まれた領域であることを特徴とする請求項１〜４のいずれかに記載の偽造防止用紙。
【請求項６】
前記光輝性材料がパール顔料又は金属粉顔料から成ることを特徴とする請求項５に記載の偽造防止用紙。
【請求項７】
請求項１〜６のいずれかに記載の偽造防止用紙に印刷を施したことを特徴とする偽造防止印刷物。
【発明の詳細な説明】
【技術分野】
【０００１】
本発明は、偽造防止を必要とする種々の商品に使用される用紙に係わり、明所及び暗所のいずれにおいてもその真贋を判定できる偽造防止用紙に関するものである。
【背景技術】
【０００２】
従来、偽造を防止する手段は、物品そのものを真似することが困難なものとするか、或いは真似することが困難なものを本物であることの証明として物品に取りつけることにより、本物と偽物を区別できるようにするものがある。
【０００３】
このような偽造防止手段として、特許文献１には、光輝性を有する細片を紙基材に漉き込んだ偽造防止用紙が記載されている。光輝性を有する細片は、例えば、パール顔料や金属粉顔料を基体シートに塗布又は印刷して細片状に裁断したものである。この偽造防止用紙においては自然光の下でこの光輝性の有無を判断してその真贋を容易に判定することが可能である。また、カラーコピーによってその光輝性を再現することすることは困難であるから、このような不正手段によって贋造することもできない。
【０００４】
しかしながら、パール顔料や金属粉顔料は比較的入手し易い材料であり、このため、十分な偽造防止性能を有するものではなかった。
【先行技術文献】
【特許文献】
【０００５】
【特許文献１】特開２０００−９６４９０号公報
【発明の概要】
【発明が解決しようとする課題】
【０００６】
本発明はこのような事情に基づいてなされたものであり、自然光の下でその真贋を判定できる判定手段に加えて、自然光のもとでは真贋を判定することができず、特定の操作を加えることによって真贋判定が可能となる判定手段を設けた偽造防止用紙を提供することを目的とするものである。
【課題を解決するための手段】
【０００７】
すなわち、請求項１に記載の発明は、紙を基材として、可視光の照射によって光輝性を有する光輝性領域と、圧力によって発光する圧力発光領域とを有することを特徴とする偽造防止用紙である。
【０００８】
この発明に係る偽造防止用紙は、可視光を含む自然光の下で光輝性領域が特有の光輝性を有するため、その有無によって真贋を判定することが可能である。しかも、この光輝性領域をカラーコピーで再現することはできない。
【０００９】
一方、圧力発光領域は圧力を加えない限り発光しないから、自然光の下でもその存在自体を認知することができない。そして、この領域に圧力を加えることによって、この領域
が発光するから、この発光の有無によって真贋を判定することが可能である。発光の有無は暗所で判定することが可能であり、かつ、暗所で判定することが望ましい。なお、この圧力発光領域もカラーコピーで再現することは不可能である。
【００１０】
本願発明に係る偽造防止用紙はこのように二重の判定手段を有しており、しかも、その一方の判定手段の存在は自然光の下で認知できないから、極めて優れた偽造防止効果を発
揮する。
【００１１】
次に、請求項２に記載の発明は、前記圧力発光領域が、圧力によって発光する材料を含む細片が紙基材に漉き込まれた領域であることを特徴とする請求項１に記載の偽造防止用紙である。
【００１２】
また、請求項３に記載の発明は、圧力によって発光する材料を含む前記細片の大きさが２〜５ｍｍであることを特徴とする請求項２に記載の偽造防止用紙である。
【００１３】
また、請求項４に記載の発明は、圧力によって発光する材料を含む前記細片の厚みが偽造防止用紙の厚みの１／３であることを特徴とする請求項２又は３に記載の偽造防止用紙である。
【００１４】
また、請求項５に記載の発明は、前記光輝性領域が、光輝性材料を含む細片が紙基材に漉き込まれた領域であることを特徴とする請求項１〜４のいずれかに記載の偽造防止用紙である。
【００１５】
また、請求項６に記載の発明は、前記光輝性材料がパール顔料又は金属粉顔料から成ることを特徴とする請求項５に記載の偽造防止用紙である。
【００１６】
また、請求項７に記載の発明は、請求項１〜６のいずれかに記載の偽造防止用紙に印刷を施したことを特徴とする偽造防止印刷物である。
【発明の効果】
【００１７】
本発明によれば、自然光の下でその真贋を判定できる判定手段に加えて、自然光のもとでは真贋を判定することができず、特定の操作を加えることによって真贋判定が可能となる判定手段を設けた偽造防止媒体を得ることができる。
【図面の簡単な説明】
【００１８】
【図１】本発明に係る偽造防止印刷物の平面図である。
【図２】本発明に係る偽造防止印刷物の要部断面図である。
【図３】本発明に係る偽造防止印刷物を明所で見た場合を示す平面図である。
【図４】本発明に係る偽造防止印刷物に暗所置き、かつ圧力を掛けて見た場合を示す平面図である。
【発明を実施するための形態】
【００１９】
本発明の偽造防止用紙は、可視光の照射によって光輝性を有する光輝性領域と、圧力によって発光する圧力発光領域とを有するものである。この偽造防止用紙に印刷を施すことにより、例えば、有価証券とすることができる。
【００２０】
この偽造防止用紙は、光輝性領域を構成する細片１１と圧力発光領域を構成する細片１２の両者を紙基材１０に漉き込むことにより製造することができる。図１はこのように製造した偽造防止用紙１に印刷１３を施した商品券の平面図であり、図２はその要部断面図である。
【００２１】
すなわち、針葉樹晒クラフトパルプ（ＮＢＫＰ）、広葉樹晒クラフトパルプ（ＬＢＫＰ）、針葉樹晒サルファイトパルプ（ＮＢＳＰ）、サーモメカニカルパルプ（ＴＭＰ）等の製紙用パルプを主体として、これに二種類の前記細片１１，１２を併用し、長綱抄紙機や円綱抄紙機等の公知の抄紙機を使用して抄紙することによって本発明の偽造防止用紙を製造することができる。また、これに加えて、紙力増強剤、サイズ剤、定着剤、歩留まり向上剤、濾水性向上剤、消泡剤、染料、着色顔料、蛍光剤などを併用してもよい。
【００２２】
圧力発光領域を構成する細片１２としては、圧力によって発光する圧力発光性材料で任意の基体シートを被覆した後、これを細片状に裁断したものが使用できる。このような圧力発光性材料としては、与えられたエネルギーによる発光の減衰時間により応力発光蛍光材料と応力発光りん光材料に分けることができる。蛍光発光性を持つ材料として、ＣａＭｇＳｉＯ7：Ｃｅ，ＳｒＮｂ2Ｏ6：Ｅｕなどが挙げられる。また、特開２００８−５５６３９号公報、特開２００６−３１２７１９号公報，特開２００７−５５１４４号公報などに開示されている材料を使用することもできる。
【００２３】
そして、これら圧力発光性材料を樹脂バインダー及び溶剤と混合してインキ化し、紙やプラスチックフィルムから成る基体シートに印刷することで被覆することができる。印刷は、例えば、スクリーン印刷方式，フレキソ印刷方式，グラビア印刷方式，オフセット印刷方式，凸版印刷方式で可能である。
【００２４】
また、裁断する細片１２の大きさは２〜５ｍｍが望ましく、細片１２の厚みは紙基材１０の１／３程度が望ましい。この程度の大きさ及び厚みの場合、得られる偽造防止用紙１の表面が平滑で、しかも、その繊維に細片１２が絡まって脱落を防止することができる。
【００２５】
一方、光輝性領域を構成する細片１１としては、任意の基体シートを光輝性材料で被覆した後、これを細片状に裁断したものが使用できる。光輝性材料としてはパール顔料又は金属粉顔料を使用することができる。パール顔料としては、雲母粉末、貝殻粉末、魚鱗粉末などが例示できる。任意の色彩に着色したパール顔料であってもよい。例えば、青色、黄色、緑色、あるいはピンクの色彩に着色したパール顔料である。また、金属粉顔料としては、アルミニウム粉末や銅粉末が例示できる。
【００２６】
そして、これらパール顔料又は金属粉顔料を樹脂バインダー及び溶剤と混合してインキ化し、紙やプラスチックフィルムから成る基体シートに印刷することで被覆することができる。印刷は、例えば、スクリーン印刷方式，フレキソ印刷方式，グラビア印刷方式，オフセット印刷方式，凸版印刷方式で可能である。細片１１の大きさ及び厚みは細片１２と同様である。
【００２７】
本発明に係る偽造防止印刷物を自然光の下で、すなわち、明所で観察した場合には、図３に示すように、光輝性領域と印刷１３とを観察することができる。このうち、光輝性領域は光輝性細片１１に基づいて入射光を反射してきらきらして見える。また、この光輝性細片１１が特定の色彩に着色したパール顔料を含有している場合には、この光輝性領域が周囲の色彩とは異なって見える。そして、カラーコピーしても光輝性領域の光輝性を再現することは不可能である。一方、明所で観察した場合には圧力発光領域を観察することはできない。
【００２８】
そこで、この偽造防止印刷物を上から圧力を加えると、圧力発光領域が発光して観察できる。このとき、偽造防止印刷物を暗所におくと周囲に自然光が存在しないため光輝性領域及び印刷１３の両者は観察できない。そして、この状態で手指などにより圧力を加えると、図４に示すように、圧力発光領域が発光して、この領域だけが暗所に明るく浮かび上がって観察できる。もちろん、この圧力発光領域もコピーによって再現することは不可能である。
【００２９】
そして、このため、明所においては光輝性領域の有無によって偽造の有無を判定でき、また、光輝性領域が観察できる場合にも、暗所で圧力を加えることによってさらに偽造の有無を判定することができる。
【符号の説明】
【００３０】
１    偽造防止印刷物
１０  紙基材
１１  光輝性領域を構成する細片
１２  圧力発光領域を構成する細片
１３  印刷
【図１】
2015200037.tif 000003
【図２】
2015200037.tif 000004
【図３】
2015200037.tif 000005
【図４】
2015200037.tif 000006